(57)【要約】      （修正有）【課題】自分に合ったベストポジションを提供してくれて座りやすく疲れにくい健康と癒しの椅子を提供する。【解決手段】支えＳＳの上部に配置されたエアー椅子は体型の違いをカバーするようエアーが入った本体の弾力性を利用しフィットする湾曲形状の背もたれと座部及び肘掛けＩＨで構成されたエアー椅子ＩＳで、椅子本体が球体状で上部半分程に背もたれと座面及び肘掛けＩＨを一体化し体にフィットする様な形に構成したエアー椅子ＩＳでありエアーが入った本体のクッションを利用し体重を支え体型に関わらずクッション性に優れ湾曲形状に構成されたエアー椅子ＩＳが背中、お尻、太股等包み込む。【選択図】図６
2006212362.tif 000002
【特許請求の範囲】
【請求項１】
球体状の一部が切り欠かれた形状を有しその切欠き部分が座部、肘掛け及び背もたれを構成する椅子本体を備え、前記椅子本体は柔軟性を有する素材で形成されその内部にはエアーが封入され、前記椅子本体が弾力性を有するように構成されていることを特徴とするエアー椅子。
【請求項２】
前記椅子本体の転倒を防止するための支えを備えることを特徴とする請求項１に記載のエアー椅子。
【請求項３】
前記支えは、前記椅子本体の前記背もたれの背面や前記肘掛けの外面に当接される皿形の支え部を備えることを特徴とする請求項２に記載のエアー椅子。
【請求項４】
前記椅子本体と前記支えは弾力性のある紐体で連結可能に構成されていることを特徴とする請求項２又は３に記載のエアー椅子。
【請求項５】
前記支えとして、前記椅子本体が設置される床面に設けられる転倒防止ラバーを備えることを特徴とする請求項２から４いずれか一項に記載のエアー椅子。
【請求項６】
前記床面に設けられる台座を備え、前記台座や前記転倒防止ラバー及び前記支えの、前記椅子本体の前記背もたれの背面内側や前記肘掛けの外面内側には前記椅子本体の座部の傾きや回転等を円滑に瞬時に動かし元の状態に戻すためのベアリングが組み込まれていることを特徴とする請求項１から５いずれか記載のエアー椅子。
【発明の詳細な説明】
【技術分野】
【０００１】本発明は、支えの上にエアー椅子を設置し安定性をもたせたエアー椅子に関する。
【背景技術】
【０００２】従来の椅子では形や材質等が重視されがちで人それぞれがもつ体型の違いを考慮された物は難しく自分の体型に合う椅子を見つける事は容易ではない。【特許文献１】特開２００２−１４２９１７号（代表図面）
【発明の開示】
【発明が解決しようとする課題】
【０００３】以上に述べた従来の椅子は形や材質が重視されがちで、自分に合った椅子を見つける事は容易でないし、合わない椅子を使う事で座りにくかったり、疲れやすかったりする。【０００４】特に座る事が多い人にとって、体に合わない椅子に座り続けくる事は健康面においても重要になっつてくる。肩こり腰痛そして体の歪み、ストレス疲労、等があげられる。【０００５】本発明は、このような従来の椅子では人の体型がそれぞれ違う為、自分に合わない椅子の使用によって起こる不快感や蓄積疲労また体の歪み等の問題を解決しようとするものであり、支えの上に配置されたエアー椅子は体型の違いをカバーするようエアーの弾力性を利用し背中、お尻、太股等フィットするよう湾曲形状の背もたれと座面及び肘掛けで構成されたもので体の健康と癒しを目的とするものである。
【課題を解決するための手段】
【０００６】請求項１に記載のエアー椅子は、本体が球体状で上部半分に背もたれと座部及び肘掛けを一体化し体にフィットするよう湾曲形状に構成したエアー椅子であり体型の違いに関わらず座りやすく疲れにくいようにしたものである。本発明によれば、上記目的を達成するためにエアーが入った椅子のクッション性を利用し背もたれと座部及び肘掛けを湾曲形状にした椅子であり体重と体型をクッション性に優れたエアー椅子が包み込む特徴を持ち背中、お尻、太股等誰にでもフィットして座りやすく疲れにくい椅子を提供出来る。【０００７】請求項２に記載のエアー椅子は、請求項１に記載のエアー椅子において、転倒を防止するための支えを備えることを特徴とするものである。本発明によれば、支えを設ける事で子供から高齢者まで安心に安定して座る事が出来る。【０００８】請求項３に記載のエアー椅子は、請求項２に記載のエアー椅子において、支えは、椅子本体の背もたれの背面や肘掛けの外面に当接される皿形及び湾曲形状の支え部を備えることを特徴とするものである。本発明によれば、椅子本体が球体形状なので椅子本体の背もたれ部及び肘掛け部等に設けた支えを皿形及び湾曲形状にする事で椅子本体との設置面積を多く設け、より安定させる事が出来る。【０００９】請求項４に記載のエアー椅子は、請求項２又は３に記載のエアー椅子において、椅子本体と支えは弾力性のある紐体で連結可能に構成されていることを特徴とするものである。本発明によれば、椅子本体と支えを弾力性のあるもので連結し、連結部分に各々フックを設ける事で椅子本体は定位置に止まる事が出来る。【００１０】請求項５に記載のエアー椅子は、請求項２から４いずれか一項に記載のエアー椅子において、支えには、椅子本体が設置される床面に設けられる転倒防止ラバーを備えることを特徴とするものである。本発明によれば、支えの床面に設けた転倒防止ラバーを備える事で支えの上に設置した球体形状の椅子本体を転倒防止する事が出来る。【００１１】請求項６に記載のエアー椅子は、請求項１から５いずれか一項に記載のエアー椅子において、床面に設けられる台座を備え、台座や転倒防止ラバー及び支えには、椅子本体の背もたれの背面内側や肘掛けの外面内側等に椅子本体の座部の傾きや回転を円滑に瞬時に動かすためのベアリングが組み込まれていることを特徴とするものである。本発明によれば、支えの床面や転倒防止ラバー及び背もたれ部や肘掛け部等に設けたベアリングが組み込まれた部品により椅子本体の座部の傾きや回転する動きを円滑に瞬時に働きかける事が出来る。
【発明の効果】
【００１２】上述したように本発明のエアー椅子は球体形状になった上部半分に体にフィットするような湾曲形状の背もたれと座面及び肘掛けを一体化させたエアー椅子であって支えに脱着可能な部品を目的に応じて付け換える構成になったエアー椅子で体型をエアーが優しく包みリラックスでき、長時間の座位で疲れやストレスなどを貯めないようにし、座りながらストレッチもできる構成なので、リフレッシュ出来て集中力アップにつながる。、また肘掛けや背もたれ部分の支えの内側及び床面や転倒防止ラバーに装着したベアリングの組み込まれた部品により上部に乗ったエアー椅子は円滑で瞬時に自由自在の動きをするため肩こり、腰痛、体や骨盤の歪み、足のむくみ等も軽減出来ると考えられる。さらに動きを制御する支えと椅子本体を連結する弾力性のある部品を装備する事によって、座位で傾いた座部は元の正常な位置に戻る作用があるので骨盤を常時刺激する事が出来る。本来人間の骨盤や各関節部分は複雑な動きをするために従来の椅子ではこの複雑な動きを妨げてしまいがちで結果、ストレスや疲労が蓄積してしまうが、エアー椅子は前記に記載した構造を持つため、人間の複雑な関節の動き等をサポートでき自分に合ったベストポジションを誰にでも提供出来る。支えや連結した弾力性のある部品等によって転倒も防いで安心な構造になっていて、キャスターを付け移動も可能にし、支えと椅子本体を連結せずに使用する事も可能で支えに装着されたベアリングの働きにより、上部に乗せただけのエアー椅子本体は回転や自由自在の複雑な動きを可能にし、もちろんエアー椅子本体だけでも使用可能であり、簡単なトレーニングにも使用出来る。目的に応じて部品を組換える事で多目的なエアー椅子を提供出来る。
【発明を実施するための最良の形態】
【００１３】以下、本発明の形態を図１〜図６に基づいて説明する。【００１４】図１のＩＳはエアー椅子で球体状であり、上部半分程から体にフィットするよう湾曲形状になった背もたれと座面、及び肘掛けを一体化させ構成したもので中にエアーが入る。図１において、ＳＳは支えでエアー椅子の転倒を防止する為に設け背もたれ部分の支えをエアー椅子本体と同様に湾曲形状にし床面にベアリングを組み込み装備した部品ＳＶを設け椅子本体との間に位置し、脱着可能にし、ＳＧは支えと椅子を連結する弾力性が有り脱着可能な部品で、これらを設ける事でエアー椅子はベアリング上からずれる事なく座部が自由自在に傾き円滑に瞬時に元の位置に戻る事を可能に構成されたエアー椅子。【００１５】図２は上面図である。支えと椅子を弾力性のあるもので連結する事で転倒防止になり安心感と安定感を得る事で高齢者や子供にも安全に使用出来る。【００１６】図３において、ＳＲは転倒防止ラバーで支えの床面に脱着可能な部品であり椅子の周りを囲むよう設置する事でエアー椅子の動きを制限する。ＳＣは脱着可能なキャスターで支えごと移動も出来る若者むきで最もシンプルな椅子。【００１７】図４において、Ａは側面図である。Ｂは前面図である。Ｃは上面図である。ＩＨは肘掛けでＳＳ支えに装備されＩＳエアー椅子を囲むよう設置されエアー椅子の湾曲形状に合わせて肘掛けも湾曲形状にした肘掛け付きエアー椅子で、仕事用や自宅での癒しの空間等に用いる事が出来る。【００１８】図５は各部品である。ＡのＳＶはベアリングの断面図である。ＢのＳＶはベアリングの上面図である。ＣのＳＧは弾力性のあるものでＳＦは支え側のフックである。ＤのＳＦは椅子側のフックである。【００１９】図６において、全ての部品を装着した事により安定性と運動性の両方の性質を持ち合わせたエアー椅子でＳＳ支えの肘掛け部分内側やＳＳ支えの背もたれ部分内側及びＳＲ転倒防止ラバーや床面部に設けたＳＶベアリングにより座部は自由自在で円滑な傾きを瞬時にして座部を元に戻す連結したＳＧ弾力性のあるものを設けＳＲ転倒防止ラバーやＩＨ肘掛けにより転倒を防ぎ安心でＩＳエアー椅子本体のエアーの利用と湾曲させた形状により背中やお尻、太股等つつみ込み、優しい座り心地良さを特徴とし、部品を付け換え選択する事で多目的に使用出来て全体をコンパクトにする事で色々な場面で使用出来る。
【図面の簡単な説明】
【００２０】
【図１】図１は椅子と支えをつなぎベアリングを装着した椅子の側面図である
【図２】図２は上面図である
【図３】図３は支えに転倒防止ラバーとキャスターを装着した椅子の側面図である
【図４】図４は支えに肘掛けを装備した椅子である        Ａは側面図である        Ｂは前面図である        Ｃは上面図である
【図５】図５は各部品である        Ａは側面図である        Ｂは上面図である        Ｃは側面図である        Ｄは上面図である
【図６】図６は各部品を設けた椅子の側面図である
【符合の説明】
【００２１】ＩＳ−エアー椅子ＩＨ−肘掛けＳＳ−支えＳＶ−ベアリングＳＧ−弾力性があり椅子と支えをつなぐものＳＦ−フックＳＣ−キャスターＳＲ−転倒防止ラバー
【図１】
2006212362.tif 000003
【図２】
2006212362.tif 000004
【図３】
2006212362.tif 000005
【図４】
2006212362.tif 000006
【図５】
2006212362.tif 000007
【図６】
2006212362.tif 000008